(57)【要約】【課題】互いに異なる種類のシートが導入される複数の導入部を備える画像処理装置において、シートの種類に応じた画像処理条件を、ユーザの負担を抑制しつつ設定すること。【解決手段】シートを搬送する搬送部と、搬送部に向けて第１種のシートが導入される第１の導入部と、搬送部に向けて第１種のシートとは種類の異なる第２種のシートが導入される第２の導入部と、第２の導入部を開放する開状態と、第１の導入部を開放し、且つ、第２の導入部を覆う閉状態とに変位可能に構成されているカバーと、搬送部によって搬送されるシートを利用した画像処理を実行する画像処理部と、制御部と、を備え、制御部は、カバーが閉状態である場合は、第１種のシートを利用した画像処理に対応する第１の画像処理条件を設定する第１の設定処理を実行する、画像処理装置。【選択図】図８
2014110482.tif 000002
【特許請求の範囲】
【請求項１】
シートを搬送する搬送部と、
前記搬送部に向けて第１種のシートが導入される第１の導入部と、
前記搬送部に向けて前記第１種のシートとは種類の異なる第２種のシートが導入される第２の導入部と、
前記第２の導入部を開放する開状態と、前記第１の導入部を開放し、且つ、前記第２の導入部を覆う閉状態とに変位可能に構成されているカバーと、
前記搬送部によって搬送されるシートを利用した画像処理を実行する画像処理部と、
制御部と、
を備え、
前記制御部は、前記カバーが閉状態である場合は、前記第１種のシートを利用した画像処理に対応する第１の画像処理条件を設定する第１の設定処理を実行する、画像処理装置。
【請求項２】
請求項１に記載の画像処理装置であって、
前記カバーの開閉状態を検出するためのカバーセンサを備え、
前記制御部は、前記カバーセンサにより前記カバーの開閉状態を検出する、画像処理装置。
【請求項３】
請求項２に記載の画像処理装置であって、
前記カバーは、開状態において、前記第１の導入部を開放し、且つ、前記第２の導入部を開放する、画像処理装置。
【請求項４】
請求項２に記載の画像処理装置であって、
前記画像処理を実行する要求を受け付ける要求受付部を備え、
前記制御部は、
前記要求受付部によって前記要求が受け付けられると、前記カバーセンサにより前記カバーの開閉状態の検出を行い、前記カバーが閉状態である場合に前記第１の設定処理を実行し、
前記第１の設定処理によって設定された前記第１の画像処理条件で前記画像処理部に前記画像処理を実行させる、画像処理装置。
【請求項５】
請求項４に記載の画像処理装置であって、
前記制御部は、前記カバーが開状態であり、且つ、前記第２種のシートが無い場合は、前記要求受付部によって前記要求が受け付けられてから所定時間以上経過しているか否かを判断し、前記所定時間以上経過していない場合は再度前記カバーセンサにより前記カバーの開閉状態の検出を行う一方、前記所定時間以上経過している場合は前記画像処理を実行しない、画像処理装置。
【請求項６】
請求項４に記載の画像処理装置であって、
前記制御部は、前記要求受付部によって前記要求が受け付けられると、当該要求が受け付けられてから所定時間が経過した後に前記カバーセンサにより前記カバーの開閉状態の検出を行う、画像処理装置。
【請求項７】
請求項２に記載の画像処理装置であって、
前記第１の導入部に導入される前記第１種のシートの有無を検出する第１のシートセンサを備え、
前記制御部は、前記カバーセンサにより前記カバーの開閉状態の検出を行うとともに、前記第１のシートセンサにより前記第１種のシートの有無の検出を行い、前記カバーが閉状態であり、且つ、前記第１種のシートが有る場合に前記第１の設定処理を実行する、画像処理装置。
【請求項８】
請求項７に記載の画像処理装置であって、
前記制御部は、前記カバーセンサにより前記カバーの開閉状態の検出を行い、前記カバーが閉状態である場合は前記第１のシートセンサによる前記第１種のシートの有無の検出を行う一方、前記カバーが開状態である場合は前記第１のシートセンサによる前記第１種のシートの有無の検出を行わない、画像処理装置。
【請求項９】
請求項８に記載の画像処理装置であって、
前記第２の導入部に導入される前記第２種のシートの有無を検出する第２のシートセンサを備え、
前記制御部は、前記第２のシートセンサにより前記第２種のシートの有無の検出を行い、前記カバーが閉状態であり、前記第１種のシートが有り、且つ、前記第２種のシートが無い場合は、前記第１の設定処理を実行する、画像処理装置。
【請求項１０】
請求項１乃至請求項９のいずれか一項に記載の画像処理装置であって、
前記制御部は、
前記カバーが閉状態である場合に、前記カバーの閉状態を示す情報を外部の装置に送信する送信処理と、
前記外部の装置から前記情報に対する応答として前記第１の画像処理条件を受信する受信処理と、
を実行し、
前記第１の設定処理において、前記受信処理によって受信した前記第１の画像処理条件を設定する、画像処理装置。
【請求項１１】
請求項１乃至請求項１０のいずれか一項に記載の画像処理装置であって、
画像処理条件を表示する表示部と、
前記表示部に表示されている前記画像処理条件の変更を受け付ける変更受付部と、
を備え、
前記制御部は、前記カバーが閉状態である場合は、前記第１の設定処理において、前記第１の画像処理条件を前記表示部に表示させる、画像処理装置。
【請求項１２】
請求項１乃至請求項１１のいずれか一項に記載の画像処理装置であって、
前記制御部は、前記カバーが開状態である場合は、前記第２種のシートを利用した画像処理に対応する第２の画像処理条件を設定する第２の設定処理を実行する、画像処理装置。
【請求項１３】
請求項１に記載の画像処理装置であって、
前記第１の導入部に導入される前記第１種のシートの有無を検出する第１のシートセンサを備え、
前記カバーは、開状態において、前記第１の導入部を覆い、且つ、前記第２の導入部を開放する構成であり、
前記制御部は、前記第１のシートセンサにより前記第１種のシートの有無の検出を行い、前記第１種のシートが有る場合に、前記第１の設定処理を実行する、画像処理装置。
【請求項１４】
請求項１乃至請求項１３のいずれか一項に記載の画像処理装置であって、
前記画像処理部はシートを読み取って画像データを生成する画像読取部である、画像処理装置。
【発明の詳細な説明】
【技術分野】
【０００１】
互いに異なる種類のシートが導入される複数の導入部を備える画像処理装置に関する。
【背景技術】
【０００２】
互いに異なる種類のシートが導入される２つの導入部を有し、各導入部から導入されたシートを搬送して読み取る画像読取装置において、各導入部にシートを検出するセンサを設け、それらのセンサの検出状態に応じてシートの搬送を制御する技術が開示されている（例えば特許文献１参照）。
【先行技術文献】
【特許文献】
【０００３】
【特許文献１】特開２０１２−１８４０５７号公報
【発明の概要】
【発明が解決しようとする課題】
【０００４】
ところで、シートの読み取りのようにシートを利用した画像処理を行う場合、シートの種類によって適切な画像処理条件が異なる。例えばカードのような小さなシートの場合は読取可能な最大サイズで読み取ると画像データが表す画像に多くの余白が生じてしまう。このため、そのようなシートの場合は読取範囲を小さくすることが適切であるといえる。一方、相対的に大きなシートを読み取る場合は小さなシートを読み取る場合よりも読取範囲を広くすることが適切であるといえる。
【０００５】
しかしながら、シートの種類に応じた画像処理条件をユーザに設定させると、ユーザは画像処理を実行させる度にシートの種類に応じた画像処理条件を設定しなければならず、ユーザにとって負担となる。
本明細書では、互いに異なる種類のシートが導入される複数の導入部を備える画像処理装置において、シートの種類に応じた画像処理条件を、ユーザの負担を抑制しつつ設定する技術を開示する。
【課題を解決するための手段】
【０００６】
本明細書によって開示される画像処理装置は、シートを搬送する搬送部と、前記搬送部に向けて第１種のシートが導入される第１の導入部と、前記搬送部に向けて前記第１種のシートとは種類の異なる第２種のシートが導入される第２の導入部と、前記第２の導入部を開放する開状態と、前記第１の導入部を開放し、且つ、前記第２の導入部を覆う閉状態とに変位可能に構成されているカバーと、前記搬送部によって搬送されるシートを利用した画像処理を実行する画像処理部と、制御部と、を備え、前記制御部は、前記カバーが閉状態である場合は、前記第１種のシートを利用した画像処理に対応する第１の画像処理条件を設定する第１の設定処理を実行する。
【０００７】
上記画像処理装置によると、カバーが閉状態である場合は第１の導入部が開放される一方、第２の導入部がカバーによって覆われる。つまり、カバーが閉状態である場合は第２種のシートの読み取りは行われないと判断することできる。この場合、上記画像処理装置によると、第１種のシートに対応する第１の画像処理条件を設定する。このため、少なくともカバーが閉状態である場合は、ユーザはシートの種類に応じた画像処理条件を設定しなくてよい。
よって上記画像処理装置によると、互いに異なる種類のシートが導入される複数の導入部を備える画像処理装置において、シートの種類に応じた画像処理条件を、ユーザの負担を抑制しつつ設定することができる。
【０００８】
また、上記画像処理装置は、前記カバーの開閉状態を検出するためのカバーセンサを備え、前記制御部は、前記カバーセンサにより前記カバーの開閉状態を検出してもよい。
【０００９】
上記画像処理装置によると、カバーの開閉状態を検出することができる。
【００１０】
また、前記カバーは、開状態において、前記第１の導入部を開放し、且つ、前記第２の導入部を開放してもよい。
【００１１】
上記画像処理装置によると、カバーが開状態である場合は第１種のシートが導入される可能性も第２種のシートが導入される可能性もあるので、カバーの開閉状態だけではシートの種類に応じた画像処理条件を判断できない。
しかしながら、少なくともカバーが閉状態である場合については、ユーザが第２種のシートを利用した画像処理を望んでいる可能性は低いと判断できるので、第１の画像処理条件を設定することにより、シートの種類に応じた画像処理条件を、ユーザの負担を抑制しつつ設定することができる。
【００１２】
また、画像処理装置は、前記画像処理を実行する要求を受け付ける要求受付部を備え、前記制御部は、前記要求受付部によって前記要求が受け付けられると、前記カバーセンサにより前記カバーの開閉状態の検出を行い、前記カバーが閉状態である場合に前記第１の設定処理を実行し、前記第１の設定処理によって設定された前記第１の画像処理条件で前記画像処理部に前記画像処理を実行させてもよい。
【００１３】
上記画像処理装置によると、カバーが閉状態である場合は自動で画像処理の実行が開始されるので、ユーザの負担を軽減できる。
【００１４】
また、前記制御部は、前記カバーが開状態であり、且つ、前記第２種のシートが無い場合は、前記要求受付部によって前記要求が受け付けられてから所定時間以上経過しているか否かを判断し、前記所定時間以上経過していない場合は再度前記カバーセンサにより前記カバーの開閉状態の検出を行う一方、前記所定時間以上経過している場合は前記画像処理を実行しないようにしてもよい。
【００１５】
例えばユーザは第１種のシートを利用した画像処理を実行させたい場合に、カバーを閉め忘れて開状態のままで画像処理の実行を要求してしまうことも考えられる。その場合に、ユーザは実行を要求した後に直ぐに開状態であることに気づいてカバーを閉じることも考えられる。
上記画像処理装置によると、カバーを閉め忘れて開状態のまま画像処理の実行を要求してしまっても、第２種のシートが無い場合は要求が受け付けられてから所定時間が経過するまでは画像処理を実行しない決定をしないので、ユーザは開状態のまま要求を行ってしまっても上述した所定時間が経過する前にカバーを閉状態にすることにより、第１種のシートを利用した画像処理を実行させることができる。
【００１６】
また、前記制御部は、前記要求受付部によって前記要求が受け付けられると、当該要求が受け付けられてから所定時間が経過した後に前記カバーセンサにより前記カバーの開閉状態の検出を行ってもよい。
【００１７】
例えばユーザは第１種のシートを利用した画像処理を実行させたい場合に、カバーを閉め忘れて開状態のままで画像処理の実行を要求してしまうことも考えられる。その場合に、ユーザは実行を要求した後に直ぐに開状態であることに気づいてカバーを閉じることも考えられる。
上記画像処理装置によると、要求が受け付けられてから所定時間が経過した後にカバーセンサによりカバーの開閉状態の検出を行うので、ユーザは開状態のまま要求を行ってしまってもカバーセンサによる検出が行われる前にカバーを閉状態にすることにより、第１種のシートを利用した画像処理を実行させることができる。
【００１８】
また、上記画像処理装置は、前記第１の導入部に導入される前記第１種のシートの有無を検出する第１のシートセンサを備え、前記制御部は、前記カバーセンサにより前記カバーの開閉状態の検出を行うとともに、前記第１のシートセンサにより前記第１種のシートの有無の検出を行い、前記カバーが閉状態であり、且つ、前記第１種のシートが有る場合に前記第１の設定処理を実行してもよい。
【００１９】
カバーが閉状態であり、且つ、第１種のシートが有る場合は、第１種のシートを利用した画像処理を実行する可能性が高いので、第１の画像処理条件を設定することにより、ユーザの負担をより確実に抑制できる。
【００２０】
また、前記制御部は、前記カバーセンサにより前記カバーの開閉状態の検出を行い、前記カバーが閉状態である場合は前記第１のシートセンサによる前記第１種のシートの有無の検出を行う一方、前記カバーが開状態である場合は前記第１のシートセンサによる前記第１種のシートの有無の検出を行わないようにしてもよい。
【００２１】
カバーが開状態である場合は第１種のシートを利用した画像処理を実行する可能性は低い。つまり、第１種のシートの有無を検出する必要性は低い。
上記画像処理装置によると、カバーが開状態である場合は第１種のシートの有無の検出を行わないので、無用な検出を抑制できる。
【００２２】
また、上記画像処理装置は、前記第２の導入部に導入される前記第２種のシートの有無を検出する第２のシートセンサを備え、前記制御部は、前記第２のシートセンサにより前記第２種のシートの有無の検出を行い、前記カバーが閉状態であり、前記第１種のシートが有り、且つ、前記第２種のシートが無い場合は、前記第１の設定処理を実行してもよい。
【００２３】
カバーが閉状態であり、第１種のシートが有り、且つ、第２種のシートが無い場合は、第１種のシートを利用した画像処理を実行する可能性が高いので、第１の画像処理条件を設定することにより、ユーザの負担をより確実に抑制できる。
【００２４】
また、前記制御部は、前記カバーが閉状態である場合に、前記カバーの閉状態を示す情報を外部の装置に送信する送信処理と、前記外部の装置から前記情報に対する応答として前記第１の画像処理条件を受信する受信処理と、を実行し、前記第１の設定処理において、前記受信処理によって受信した前記第１の画像処理条件を設定してもよい。
【００２５】
上記画像処理装置によると、外部の装置で第１の画像処理条件を設定できる。
【００２６】
また、上記画像処理装置は、画像処理条件を表示する表示部と、前記表示部に表示されている前記画像処理条件の変更を受け付ける変更受付部と、を備え、前記制御部は、前記カバーが閉状態である場合は、前記第１の設定処理において、前記第１の画像処理条件を前記表示部に表示させてもよい。
【００２７】
上記画像処理装置によると、カバーが閉状態である場合は第１の画像処理条件が表示部に表示されるので、ユーザは第１の画像処理条件を設定して画像処理を実行させたい場合に、自身で第１の画像処理条件を設定しなくてよい。よって上記画像処理装置によると、シートの種類に応じた画像処理条件を、ユーザの負担を抑制しつつ設定することができる。
【００２８】
また、前記制御部は、前記カバーが開状態である場合は、前記第２種のシートを利用した画像処理に対応する第２の画像処理条件を設定する第２の設定処理を実行してもよい。
【００２９】
上記画像処理装置によると、カバーが開状態である場合にもユーザの負担を抑制できる。
【００３０】
また、上記画像処理装置は、前記第１の導入部に導入される前記第１種のシートの有無を検出する第１のシートセンサを備え、前記カバーは、開状態において、前記第１の導入部を覆い、且つ、前記第２の導入部を開放する構成であり、前記制御部は、前記第１のシートセンサにより前記第１種のシートの有無の検出を行い、前記第１種のシートが有る場合に、前記第１の設定処理を実行してもよい。
【００３１】
カバーが開状態において前記第１の導入部を覆い、且つ、前記第２の導入部を開放する構成である場合は、第１のシートセンサを用いても、ユーザの手間を減らしつつ、シートの種類に応じた画像処理条件を自動で設定することができる。
なぜなら、第１のシートセンサにより第１種のシートを検出するということは、２つの導入部のうち第１の導入部のみが開状態であり、第１種のシートを利用した画像処理が実行される可能性が高いためである。
【００３２】
また、上記画像処理装置は、前記画像処理部はシートを読み取って画像データを生成する画像読取部であってもよい。
【００３３】
上記画像処理装置によると、シートを読み取って画像データを生成する画像処理を実行する場合に、シートの種類に応じた画像処理条件を、ユーザの負担を抑制しつつ設定することができる。
【００３４】
なお、本明細書によって開示される技術は、画像処理プログラム、画像処理方法、画像処理プログラムを記録した記録媒体等の種々の態様で実現することができる。
【発明の効果】
【００３５】
上記の画像処理装置によると、互いに異なる種類のシートが導入される複数の導入部を備える画像処理装置において、シートの種類に応じた画像処理条件を、ユーザの負担を抑制しつつ設定できる。
【図面の簡単な説明】
【００３６】
【図１】実施形態１に係る画像読取装置の外観を示す斜視図（カバー開状態）。
【図２】画像読取装置の外観を示す斜視図（カバー閉状態）。
【図３】画像読取装置の外観を示す斜視図（カバー閉状態）。
【図４】画像読取装置の内部構成を簡略化して示すブロック図。
【図５】画像読取装置の電気的構成を簡略化して示すブロック図。
【図６】センサの検出結果のパターンを示す表。
【図７】読取制御処理のフローチャート。
【図８】カバーが閉状態であるときの処理のフローチャート。
【図９】カードの先行給紙処理のフローチャート。
【図１０】カバーが開状態であるときの処理のフローチャート。
【図１１】実施形態２に係る読取条件設定処理のフローチャート。
【図１２】カバーが閉状態であるときの処理のフローチャート。
【図１３】カバーが開状態であるときの処理のフローチャート。
【発明を実施するための形態】
【００３７】
＜実施形態１＞
（１）画像読取装置
図１ないし図１０を参照して、実施形態１に係る画像読取装置１について説明する。画像読取装置１はＡ４やＢ５などのシートを読み取り可能に構成されているとともに、キャッシュカード、クレジットカード、名刺、免許証などのカードサイズのシートも読み取り可能に構成されている。画像読取装置１は画像処理装置の一例である。
【００３８】
以降の説明ではＡ４やＢ５などのシートのことを普通紙といい、カードサイズのシートのことをカードというものとする。カードは第１種のシートの一例である。また、普通紙は第２種のシートの一例である。
【００３９】
（１−１）画像読取装置の外観
図１ないし図４に示すように、画像読取装置１の筐体１１は略箱状に形成されている。図１に示すように、筐体１１の上壁面において後方側には左右方向に延びる第２の導入部１２が設けられている。第２の導入部１２には、普通紙Ｍが導入される。図３に示すように、筐体１１の背面右側には第１の導入部１６が設けられている。第１の導入部１６には、カードＣが導入される。図１に示すように、筐体１１の前方側には左右方向に延びる排出部１４が設けられている。また、筐体１１の上面には操作部１５が設けられている。ユーザは操作部１５を操作することによってシートの読取条件の設定や読取指示などを行うことができる。カバー１３にはカバー１３を閉じた状態でもユーザが操作部１５を操作できるようにするための開口１３ａが形成されている。
第２の導入部１２には普通紙Ｍを読み取る際に普通紙Ｍを筐体１１内に導入するための第２の導入口１２ａが形成されている。
【００４０】
カバー１３は第２の導入口１２ａを覆う閉状態（図２参照）と図１に示すように第２の導入口１２ａを開放する開状態とに回動可能に筐体１１に連結されている。カバー１３は開状態にあるとき閉状態から所定角度回動した位置において傾斜した姿勢で定位し、普通紙Ｍが載置されるシートトレイとして機能する。第２の導入口１２ａから導入された普通紙Ｍは画像読取部３０（図４参照）によって読み取られ、筐体１１前面の排出部１４の第１の排出口１４ａ、または第１の排出口１４ａおよび第２の排出口１４ｂから排出される。
【００４１】
図２に示すように、カバー１３が閉状態に変位すると筐体１１の上面が覆われ、これにより第２の導入口１２ａが覆われる。従ってカバー１３が閉状態にあるときは普通紙Ｍを導入することはできない。
【００４２】
第１の導入部１６にはカードＣを読み取る際にカードＣを筐体１１内に導入するための第１の導入口１６ａが形成されている。第１の導入口１６ａはカバー１３が開状態になっても覆われない。つまり、第１の導入部１６は、カバー１３が開状態になっても開放されている。
第１の導入口１６ａから導入されたカードＣは画像読取部３０（図４参照）によって読み取られ、筐体１１前面の排出部１４の第２の排出口１４ｂから排出される。第１の排出口１４ａと第２の排出口１４ｂとは一部が共有されている。
【００４３】
（１−２）画像読取装置の内部構成
次に、図４を参照して、画像読取装置１の内部構成について説明する。画像読取装置１の筐体１１内には搬送部２０、画像読取部３０、カバーセンサ４１、カードセンサ４２、普通紙センサ４３、リアセンサ４４などが収容されている。また、筐体１１内にはカードＣ及び普通紙Ｍが搬送される搬送経路Ｔが形成されている。
【００４４】
搬送経路Ｔは、カードＣが搬送される第１の搬送経路Ｔ１、普通紙Ｍが搬送される第２の搬送経路Ｔ２、それらが合流した共通搬送経路Ｔ３から構成されている。図示するように第１の搬送経路Ｔ１と第２の搬送経路Ｔ２とは画像読取部３０よりも上流側で合流している。また、図示するように第１の搬送経路Ｔ１と共通搬送経路Ｔ３とは一つの直線的な搬送経路を構成している。これは、キャッシュカードやクレジットカードなどの湾曲し難いカードＣを搬送するためである。
【００４５】
搬送部２０は、供給ローラ２１、分離パッド２２、搬送ローラ２３、搬送ローラ２３に従動して回転する従動ローラ２４、搬送ローラ２５、搬送ローラ２５に従動して回転する従動ローラ２６、図示しないステッピングモータ、当該ステッピングモータの回転駆動力を上述した供給ローラ２１、搬送ローラ２３、及び、搬送ローラ２５に伝達する図示しない伝達機構などを備えて構成されている。
搬送部２０は、第１の導入口１６ａから導入されたカードＣを第１の搬送経路Ｔ１及び共通搬送経路Ｔ３に沿って搬送するとともに、第２の導入口１２ａから導入された普通紙Ｍを第２の搬送経路Ｔ２及び共通搬送経路Ｔ３に沿って搬送する。
【００４６】
分離パッド２２と供給ローラ２１とは第２の搬送経路Ｔ２に設けられている。分離パッド２２はバネなどの図示しない付勢部材によって供給ローラ２１に向かって付勢されている。供給ローラ２１は分離パッド２２と協働して第２の導入口１２ａから導入された普通紙Ｍを１枚ずつ分離して共通搬送経路Ｔ３側に送り出す。
搬送ローラ２３と従動ローラ２４とは共通搬送経路Ｔ３において画像読取部３０より上流側に配置されている。搬送ローラ２５と従動ローラ２６とは共通搬送経路Ｔ３において画像読取部３０より下流側に配置されている。
【００４７】
ここで、画像読取部３０にカードＣを読み取らせる場合は、ユーザは第１の導入口１６ａからカードＣを挿入し、カードＣが搬送ローラ２３と従動ローラ２４とに狭持されるまでカードＣを押し込むものとする。これは、カードＣが搬送ローラ２３と従動ローラ２４とに狭持されていないと搬送ローラ２３を回転させてもカードＣを搬送できないからである。
【００４８】
画像読取部３０は、第１読取部３１と第２読取部３２とを備えている。第１読取部３１は共通搬送経路Ｔ３を搬送されているシートの一方の面を読み取る。第２読取部３２は共通搬送経路Ｔ３を挟んで第１読取部３１とは逆側に配置され、共通搬送経路Ｔ３を搬送されているシートの他方の面を取る。なお、第１読取部と第２読取部とはシートの搬送方向に互いにずれて配置されてもよい。画像読取部３０は画像処理部の一例である。
【００４９】
第１読取部３１と第２読取部３２とは実質的に同一の構成であるのでここでは第１読取部３１を例に説明する。第１読取部３１は、共通搬送経路Ｔ３にあるシートを照射する光源、複数の受光素子が紙面垂直方向に直線状に配列されたリニアイメージセンサ、光源によって照射されたシートの光学像をリニアイメージセンサの受光素子に結像する光学系などを備えて構成されている。
【００５０】
光源はＲＧＢ３色のＬＥＤ光源であってもよいし、冷陰極管（ＣＣＦＬ）などを用いた白色光源であってもよい。本実施形態ではＲＧＢ３色のＬＥＤ光源を用いるものとする。リニアイメージセンサはＣＣＤセンサであってもよいし、ＣＭＯＳセンサであってもよい。光学系は等倍光学系であってもよいし、縮小光学系であってもよい。
【００５１】
カバーセンサ４１は、後述する制御部５０（図５参照）がカバー１３の開閉状態を検出するためのセンサである。カバーセンサ４１としては、例えばカバー１３が閉じられるとカバー１３に押されてオンになり、カバー１３が開けられるとカバー１３に押されなくなることによってオフになる機械的なスイッチを用いることができる。あるいは、カバー１３が閉じられるとカバー１３側に設けられている接点と筐体１１側に設けられている接点とが接触することによってオンになり、カバー１３が開けられるとそれらの接点が接触しなくなることによってオフになるものであってもよい。なお、カバーセンサ４１は制御部５０がカバー１３の開閉状態を検出できるものであれば上述した構成に限られない。
【００５２】
カードセンサ４２は、カードＣの有無を検出するセンサである。カードセンサ４２は第１の搬送経路Ｔ１において導入口１６ａの近傍に配置されている。カードセンサ４２としては、例えば第１の搬送経路Ｔ１内にカードＣが有るときはカードＣに押されてオンになり、カードＣがないときはカードＣに押されないことによってオフになるセンサを用いることができる。なお、カードセンサ４２はカードＣの有無を検出できるものであれば上述した構成に限定されない。例えば光電センサや超音波センサなどであってもよい。カードセンサ４２は第１のシートセンサの一例である。
【００５３】
普通紙センサ４３は、普通紙Ｍの有無を検出するセンサである。普通紙センサ４３は第２の搬送経路Ｔ２において供給ローラ２１及び分離パッド２２の上流側に配置されている。普通紙センサ４３としてはカードセンサ４２と同じ構成のものを用いることができる。普通紙センサ４３は第２のシートセンサの一例である。
【００５４】
リアセンサ４４は、共通搬送経路Ｔ３においてカードＣ及び普通紙Ｍなどのシートの有無を検出するセンサである。リアセンサ４４は画像読取部３０と従動ローラ２４との間に配置されている。リアセンサ４４は制御部５０が画像読取部３０にシートの読み取りを開始させるタイミングやシートの読み取りを終了させるタイミングを決定するために用いられる。リアセンサ４４としてはカードセンサ４２と同じ構成のものを用いることができる。
【００５５】
（１−３）画像読取装置の電気的構成
次に、図５を参照して、画像読取装置１の電気的構成について説明する。画像読取装置１は、制御部５０、操作部１５、搬送部２０、画像読取部３０、通信インタフェース５１、カバーセンサ４１、カードセンサ４２、普通紙センサ４３、及び、リアセンサ４４を備えている。搬送部２０、カバーセンサ４１、カードセンサ４２、普通紙センサ４３、及び、リアセンサ４４の構成は前述した通りであるのでここでは説明を省略する。
【００５６】
制御部５０はＣＰＵ５０ａ、ＲＯＭ５０ｂ、及び、ＲＡＭ５０ｃ等を備えて構成されている。ＣＰＵ５０ａはＲＯＭ５０ｂに記憶されている制御プログラムを実行することによって画像読取装置１の各部を制御する。ＲＯＭ５０ｂにはＣＰＵ５０ａによって実行される制御プログラムやデータなどが記憶されている。ＲＡＭ５０ｃはＣＰＵ５０ａが各種の処理を実行するための主記憶装置として用いられる。
【００５７】
画像読取部３０は、前述した第１読取部３１及び第２読取部３２の他に、ＡＳＩＣ３３、及び、図示しないＡＦＥ（アナログフロントエンド）を備えている。ＡＳＩＣ３３はＣＰＵ５０ａによる制御の下で光源、リニアイメージセンサ、ステッピングモータなどを制御する。ＡＦＥはリニアイメージセンサから出力されたアナログの画像信号にゲイン調整やＡ／Ｄ変換などを行ってデジタルの画像信号を出力する回路である。ＡＳＩＣ３３はＡＦＥから出力された画像信号にガンマ補正やシェーディング補正などの各種の画像処理を施して画素毎にＲＧＢ３色の濃度を持つ画像データを生成する。
【００５８】
画像読取部３０によって生成された画像データは、通信インタフェース５１を介して外部の装置に送信されてもよいし、画像読取装置１に着脱可能に装着されるリムーバブルメモリなどの記憶媒体に記憶されてもよいし、電子メールに添付されて送信されてもよいし、ファクシミリによって送信されてもよい。
【００５９】
操作部１５は、液晶ディスプレイなどの表示装置、表示装置を駆動する駆動回路、表示装置の表示面を覆う略透明なタッチパネルなどを備えて構成されている。前述したようにユーザは操作部１５を操作することによって読取条件の設定や読取指示を入力することができる。読取指示は画像処理を実行する要求の一例である。操作部１５は要求受付部、表示部、及び、変更受付部の一例である。
【００６０】
通信インタフェース５１は、ＵＳＢ（Ｕｎｉｖｅｒｓａｌ  Ｓｅｒｉａｌ  Ｂｕｓ）、ＬＡＮ（Ｌｏｃａｌ  Ａｒｅａ  Ｎｅｔｗｏｒｋ）、インターネットなどの通信回線を介してパーソナルコンピュータなどの外部の装置と通信するためのインタフェースである。
【００６１】
（２）シートの種類に対応する読取条件
ユーザは画像読取装置１に普通紙ＭやカードＣなどのシートを読み取らせるとき、操作部１５を操作して読取条件を設定することができる。読取条件とは、読取設定項目毎の設定値の組み合わせのことをいう。ここでは読取設定項目として色数、解像度、読取面、及び、読取サイズを例に説明する。各読取設定項目に設定可能な設定値の例を以下に示す。
【００６２】
色数・・・カラー／モノクロ
解像度・・・３００ｄｐｉ／６００ｄｐｉ／１２００ｄｐｉ
読取面・・・片面／両面
読取サイズ・・・カードサイズ／普通紙サイズ
【００６３】
ところで、カードＣを読み取る場合は一般に以下の読取条件が設定される。
色数＝カラー
解像度＝１２００ｄｐｉ
読取面＝両面
読取サイズ＝カードサイズ
【００６４】
色数がカラーであるのは、一般にカードＣはカラーで読み取られる傾向があるからである。解像度が１２００ｄｐｉであるのは、一般にカードＣに記載されている文字は小さいので、カードＣを読み取って生成された画像上でユーザが文字を認識し易くするために高解像度で読み取られる傾向があるからである。読取面が両面であるのは、一般にカードＣには表裏に情報が記載されているからである。また、読取サイズがカードサイズであるのは、普通紙サイズで読み取ると画像データが表す画像に多くの余白が生じてしまうからである。
【００６５】
つまり、カードＣを読み取る場合は上述した読取条件が適しているといえる。このように適した読取条件が予め判っている種類のシートを読み取る場合は、制御部５０が自動で読取条件を設定するようにすると、ユーザが読取条件を設定する負担を軽減できる。
そこで、画像読取装置１は、普通紙Ｍの読み取りであるかカードＣの読み取りであるかを次に説明する方法で判断し、カードＣの読み取りである場合は上述した読取条件を自動で設定する。以降の説明では上述した読取条件のことをカード読取条件という。カード読取条件は第１の画像処理条件の一例である。
【００６６】
（３）普通紙の読み取りであるかカードの読み取りであるかの判断
図６を参照して、普通紙Ｍの読み取りであるかカードＣの読み取りであるかの判断について説明する。本実施形態に係る画像読取装置１の構成においては、普通紙Ｍの読み取りであるかカードＣの読み取りであるかは、カードセンサ４２及び普通紙センサ４３だけで判断することは好ましくない。なぜなら、図１に示すように、カバー１３が開状態にあるとき、第１の導入部１６も第２の導入部１２も開放されている状態となっているため、例えば第１の導入部１６にカードＣが挿入されており、且つ、第２の導入部１２に普通紙Ｍが導入されているような場合が生じ、このような場合は、ユーザがどちらのシートを読み取らせたいと考えているか判断し難いからである。
【００６７】
そこで、制御部５０は、普通紙Ｍの読み取りであるかカードＣの読み取りであるかを、普通紙センサ４３及びカードセンサ４２に加えて、更にカバーセンサ４１を用いて判断する。
【００６８】
ここで、図６を参照して、カバーセンサ４１、カードセンサ４２及び普通紙センサ４３の各センサの検出結果の組み合わせの違いによる制御部５０が実行する処理の違いについて説明する。図６において「−」は、そのパターンのときはカードセンサ４２によるカードＣの有無の検出を行わないことを示している。具体的には、本実施形態ではカバー１３が開状態である場合はカードセンサ４２によるカードＣの有無の検出は行わない。つまり、制御部５０はカバー１３が閉状態である場合にのみカードセンサ４２によるカードＣの有無の検出を行う。
【００６９】
（パターン１）開状態、普通紙無し
カバー１３が開状態である場合は、ユーザは第１の導入口１６ａにカードＣを導入することも第２の導入口１２ａに普通紙Ｍを導入することも可能である。つまり、カバー１３が開状態である場合は、ユーザは第１の導入口１６ａにも第２の導入口１２ａにもシートが導入されている状態にすることができる。しかしながら、第１の導入口１６ａにも第２の導入口１２ａにもシートが導入されていると、制御部５０はユーザが普通紙Ｍを読み取らせようとしているのかカードＣを読み取らせようとしているのかを判断できない。
【００７０】
そこで、制御部５０は、カバー１３が開状態である場合は普通紙Ｍを読み取るものとし、カードＣの読み取りは行わないものとする。これは本実施形態の画像読取装置１の仕様である。なお、カバー１３が開状態であってもカードＣを読み取るようにする仕様も可能である。
【００７１】
上述したように実施形態１に係る画像読取装置１はカバー１３が開状態である場合はカードＣの読み取りは行わないので、結果としてパターン１の場合は普通紙Ｍを読み取ることになる。
しかしながら、パターン１の場合は普通紙Ｍが無し、つまり制御部５０は普通紙センサ４３からオフ信号を受け取っている。そのため、制御部５０は第２の導入部１２に普通紙Ｍが導入されていないことを示すメッセージを操作部１５に表示させることによってユーザにその旨を通知する。
なお、パターン１ではカバー１３が開状態であるので制御部５０はカードセンサ４２によるカードＣの有無の検出は行わない。
【００７２】
（パターン２）閉状態、普通紙無し、カード無し
カバー１３が閉状態である場合は第２の導入口１２ａに普通紙Ｍを導入することはできないため、ユーザが普通紙Ｍを読み取らせようとしている可能性は低い。このため、カバー１３が閉状態である場合は、制御部５０はカードＣの読み取りを行うと判断する。
【００７３】
ここで、カバー１３が閉状態である場合に普通紙Ｍが有りになることは本来無いはずであるが、ユーザは第２の導入口１２ａに普通紙Ｍを導入したままカバー１３を閉じてしまうことがないとはいえない。このため、制御部５０は、カバー１３が閉状態であり、且つ、普通紙Ｍが無い場合に、カードＣの読み取りを行うと判断する。
しかしながら、パターン２の場合は第１の導入口１６ａにカードＣが導入されていない、つまり制御部５０はカードセンサ４２からオフ信号を受け取っている。このため、制御部５０は第１の導入口１６ａにカードＣが導入されていないことを示すメッセージを操作部１５に表示させることによってユーザにその旨を通知する。
【００７４】
（パターン３）開状態、普通紙有り
この場合は、制御部５０は普通紙Ｍを読み取ると判断する。
なお、パターン３ではカバー１３が開状態であるので制御部５０はカードセンサ４２によるカードＣの有無の検出は行わない。
【００７５】
（パターン４）閉状態、普通紙有り
前述したようにユーザは第２の導入口１２ａに普通紙Ｍを導入したままカバー１３を閉じてしまうことがないとはいえない。普通紙Ｍがある場合、つまり普通紙センサ４３からオン信号を受け取っている場合は、制御部５０はカバー１３が閉状態であってもカードＣの読み取りを行わない。
この場合は、制御部５０は第２の導入部１２に普通紙Ｍが導入されたままであることを示すメッセージを操作部１５に表示させることによってユーザにその旨を通知する。
【００７６】
なお、パターン４ではカバー１３が閉状態であるが、第２の導入部１２に普通紙Ｍが導入されているので制御部５０はカードセンサ４２によるカードＣの有無の検出は行わない。
【００７７】
（パターン５）閉状態、普通紙無し、カード有り
カバー１３が閉状態において、カードＣがある場合、つまりカードセンサ４２からオン信号を受け取っている場合は、制御部５０はカードＣを読み取ると判断する。
【００７８】
（その他のパターン）
上述したパターン１〜５以外のパターンもあり得るが、パターン１〜５以外のパターンの場合は読み取りを行わないものとし、ここでは説明を省略する。
【００７９】
（４）読取制御処理
次に、図７を参照して、制御部５０による読取制御処理についてより具体的に説明する。本処理はユーザが操作部１５を操作して読取指示を入力すると開始される。
ここで、実施形態１では、ユーザは普通紙Ｍを読み取らせたい場合は操作部１５を操作して普通紙を読み取るための読取条件を設定してから読取指示を入力し、カードＣを読み取らせたい場合は操作部１５で読取条件を設定せずに読取指示を入力するものとする。
【００８０】
Ｓ１０１では、制御部５０はカバーセンサ４１によりカバー１３の開閉状態を検出し、閉状態である場合はＳ１０２に進み、開状態である場合はＳ１０３に進む。
Ｓ１０２では、制御部５０はカバー１３が閉状態であるときの処理を実行する。
Ｓ１０３では、制御部５０はカバー１３が開状態であるときの処理を実行する。
【００８１】
（４−１）カバーが閉状態であるときの処理
次に、図８を参照して、カバーが閉状態であるときの処理について説明する。
Ｓ２０１では、制御部５０は普通紙センサ４３により普通紙Ｍの有無の検出を行う。制御部５０は、普通紙Ｍが無い場合はＳ２０２に進み、普通紙Ｍが有る場合（図６のパターン４の場合）はＳ２１２に進む。
【００８２】
Ｓ２０２では、制御部５０はカードセンサ４２によりカードＣの有無の検出を行う。制御部５０は、カードＣが有る場合（図６のパターン５の場合）はＳ２０３に進み、カードＣが無い場合（図６のパターン２の場合）はＳ２１２に進む。
Ｓ２０３では、制御部５０はカードの先行給紙処理を実行する。カードの先行給紙処理は、カードＣをリアセンサ４４によって検出される位置まで給紙する処理である。
ただし、前述したようにカードＣが搬送ローラ２３と従動ローラ２４とによって狭持される位置まで押し込まれていない場合はカードＣを搬送できないので、その場合はカードＣの先行給紙処理によってカード給紙不可と判断される。カードの先行給紙処理の詳細については後述する。
【００８３】
Ｓ２０４では、制御部５０は上述したカードの先行給紙処理によってカード給紙不可と判断されているか否かを判断し、カード給紙可と判断された場合はＳ２０５に進み、カード給紙不可と判断された場合はＳ２１２に進む。
Ｓ２０５では、制御部５０は画像読取部３０の制御に用いる読取条件としてカード読取条件を設定する。Ｓ２０５は第１の設定処理の一例である。
【００８４】
Ｓ２０６では、制御部５０はステッピングモータを制御することにより搬送部２０を駆動してカードＣの搬送を開始する。
Ｓ２０７では、制御部５０はステッピングモータを制御し始めてからステッピングモータに所定数のパルスを出力した後に画像読取部３０を制御してカードＣの読み取りを開始する。この所定数はカードＣの先端がリアセンサ４４によって検出される位置から画像読取部３０によって読み取られる位置に達するまでに要するパルスの数である。このとき制御部５０はＳ２０５で設定された読取条件に従ってカードＣを読み取るよう画像読取部３０を制御する。
Ｓ２０８では、制御部５０はリアセンサ４４がオフになるまで待機し、オフになるとＳ２０９に進む。
【００８５】
Ｓ２０９では、制御部５０はリアセンサ４４がオフになってからステッピングモータに所定数のパルスを出力した後に画像読取部３０を制御してシートの読み取りを停止させる。この所定数はカードＣの後端がリアセンサ４４によって検出される位置から画像読取部３０によって読み取られる位置を通過するまでに要するパルスの数である。
【００８６】
Ｓ２１０では、制御部５０はシートの搬送が完了したか否かを判断し、搬送が完了した場合はＳ２１１に進む。シートの搬送が完了したか否かは、例えばカードＣの後端が画像読取部３０によって読み取られる位置から搬送ローラ２５と従動ローラ２６とによって狭持されなくなる位置に達するまでに要する数のパルスをステッピングモータに出力したか否かによって判断される。
【００８７】
Ｓ２１１では、制御部５０はステッピングモータの制御を終了することにより搬送部２０の駆動を停止してカードＣの搬送を停止させる。
Ｓ２１２では、制御部５０は操作部１５を制御してメッセージを表示させる。表示させるメッセージはＳ２０１、Ｓ２０２、及び、Ｓ２０４のいずれの処理によってＳ２１２が実行されたかによって異なる。例えばＳ２０１で普通紙有りと判断された場合は、制御部５０は第２の導入部１２に普通紙Ｍが導入されたままであることを示すメッセージを表示させる。Ｓ２０２でカード無しと判断された場合は、制御部５０は第１の導入口１６ａにカードＣが導入されていないことを示すメッセージを表示させる。Ｓ２０４でカード給紙不可と判断された場合は、制御部５０はカード給紙不可であることを示すメッセージを表示させる。
【００８８】
（４−２）カードの先行給紙処理
次に、図９を参照して、Ｓ２０３で実行されるカードの先行給紙処理について説明する。
Ｓ３０１では、制御部５０はステッピングモータを制御することにより搬送部２０を駆動してカードＣの搬送を開始する。
Ｓ３０２では、制御部５０はリアセンサ４４によってカードＣが検出されたか否かを判断する。前述したようにカードＣの押し込みが浅い場合はカードＣが搬送ローラ２３と従動ローラ２４とに狭持されない。その場合は一定時間が経過してもリアセンサ４４によってカードＣが検出されないことになる。制御部５０は、カードＣが検出された場合はＳ３０３に進み、カードＣが検出されていない場合はＳ３０４に進む。
【００８９】
Ｓ３０３では、制御部５０はカード給紙可である情報をＲＡＭ５０ｃに記憶する。
Ｓ３０４では、制御部５０はＳ３０１で搬送を開始してから上述した一定時間が経過したか否かを判断し、一定時間が経過していない場合はＳ３０２に戻り、一定時間が経過した場合はＳ３０５に進む。
Ｓ３０５では、制御部５０はカード給紙不可である情報をＲＡＭ５０ｃに記憶する。
Ｓ３０６では、制御部５０はステッピングモータの制御を終了することにより搬送部２０の駆動を停止してカードＣの搬送を停止させる。
【００９０】
（４−３）カバーが開状態であるときの処理
次に、図１０を参照して、カバーが開状態であるときの処理について説明する。
Ｓ４０１では、制御部５０は普通紙センサ４３により普通紙Ｍの有無の検出を行う。制御部５０は、普通紙Ｍが無い場合はＳ４０２に進み、有る場合（パターン３の場合）はＳ４０４に進む。
【００９１】
Ｓ４０２では、制御部５０は読取指示が入力されてから所定時間以上経過しているか否かを判断し、経過していない場合は図７に示すＳ１０１に戻り、経過している場合（パターン１の場合）はＳ４０３に進む。所定時間は例えば３〜５秒程度である。
Ｓ４０３では、制御部５０は普通紙が導入されていないことを示すメッセージを操作部１５に表示させて読み取りを中止する。
【００９２】
Ｓ４０４では、制御部５０は画像読取部３０の制御に用いる読取条件として普通紙読取条件を設定する。普通紙読取条件とは読取指示を入力する前にユーザが操作部１５を操作して設定した読取条件のことである。
Ｓ４０５では、制御部５０はステッピングモータを制御することにより搬送部２０を駆動して普通紙Ｍの搬送を開始する。
Ｓ４０６では、制御部５０はリアセンサ４４がオンになるまで待機し、オンになるとＳ４０７に進む。
【００９３】
Ｓ４０７では、制御部５０はＳ２０７と同様、画像読取部３０を制御して普通紙Ｍの読み取りを開始する。このとき制御部５０はＳ４０４で設定された読取条件に従って普通紙Ｍを読み取るよう画像読取部３０を制御する。
Ｓ４０８では、制御部５０はリアセンサ４４がオフになるまで待機し、オフになるとＳ４０９に進む。
Ｓ４０９では、制御部５０はリアセンサ４４がオフになってから普通紙Ｍを前述した所定距離搬送した後に画像読取部３０を制御してシートの読み取りを停止させる。
【００９４】
Ｓ４１０では、制御部５０はＳ２１０と同様、シートの搬送が完了したか否かを判断し、搬送が完了した場合はＳ４１１に進む。
Ｓ４１１では、制御部５０は搬送部２０を制御して搬送を停止させる。
【００９５】
（５）実施形態の効果
以上説明した実施形態１に係る画像読取装置１によると、カバー１３が閉状態である場合は第１の導入部１６が開放される一方、第２の導入部１２がカバー１３によって覆われる。つまり、カバー１３が閉状態である場合は普通紙Ｍの読み取りは行われないと判断することできる。この場合、画像読取装置１によると、読取条件としてカード読取条件が自動で設定される。このため、少なくともカバー１３が閉状態である場合は、ユーザはシートの種類に応じた読取条件を設定しなくてよい。
よって画像読取装置１によると、互いに異なる種類のシートが導入される複数の導入部を備える画像読取装置１において、シートの種類に応じた画像読取条件を、ユーザの負担を抑制しつつ設定することができる。
【００９６】
更に、画像読取装置１によると、カバーセンサ４１を備えているので、カバー１３の開閉状態を検出することができる。
【００９７】
更に、画像読取装置１によると、カバー１３は開状態において第１の導入部１６を開放し、且つ、第２の導入部１２を開放する。カバー１３が開状態である場合はカードＣが導入される可能性も普通紙Ｍが導入される可能性もあるので、カバー１３の開閉状態だけではシートの種類に応じた画像読取条件を判断できない。しかしながら、少なくともカバー１３が閉状態である場合については、ユーザが普通紙Ｍの読み取りを望んでいる可能性は低いと判断できるので、カード読取条件を設定することにより、シートの種類に応じた画像読取条件を、ユーザの負担を抑制しつつ設定することができる。
【００９８】
更に、画像読取装置１によると、パターン５の場合であって且つカード給紙可の場合は自動でカードＣの読み取りが開始されるので、ユーザの負担を軽減できる。
【００９９】
更に、画像読取装置１によると、ユーザが操作部１５を操作して読取指示を入力すると、カバーセンサ４１によりカバー１３の開閉状態の検出を行うとともに、カードセンサ４２によりカードＣの有無の検出を行い、カバー１３が閉状態であり、且つ、カードＣが有る場合（パターン５の場合）に第１の設定処理を実行する。カバー１３が閉状態であり、且つ、カードＣが有る場合は、カードＣを利用した画像読取を実行する可能性が高いので、カード読取条件を設定することにより、ユーザの負担をより確実に抑制できる。
【０１００】
更に、画像読取装置１によると、ユーザが操作部１５を操作して読取指示を入力すると、カバーセンサ４１によりカバー１３の開閉状態の検出を行い、カバー１３が閉状態である場合はカードセンサ４２によるカードＣの有無の検出を行う一方（パターン２、パターン５）、カバー１３が開状態である場合はカードセンサ４２によるカードＣの有無の検出を行わない（パターン１、パターン３）。カバー１３が開状態である場合はカードＣの読み取りを実行する可能性は低い。つまり、カードＣの有無を検出する必要性は低い。画像読取装置１によると、カバー１３が開状態である場合はカードＣの有無の検出を行わないので、無用な検出を抑制できる。
【０１０１】
更に、画像読取装置１によると、ユーザが操作部１５を操作して読取指示を入力すると、普通紙センサ４３により普通紙Ｍの有無の検出を行い、カバー１３が閉状態であり、カードＣが有り、且つ、普通紙Ｍが無い場合（パターン５の場合）は、第１の設定処理を実行する。カバー１３が閉状態であり、カードＣが有り、且つ、普通紙Ｍが無い場合は、カードＣの読み取りを実行する可能性が高いので、カード読取条件を設定することにより、ユーザの負担をより確実に抑制できる。
【０１０２】
更に、画像読取装置１によると、カバー１３が開状態であり、且つ、普通紙Ｍが無い場合（パターン１の場合）は、ユーザが操作部１５を操作して読取指示を入力してから所定時間以上経過しているか否かを判断し（Ｓ４０２）、所定時間以上経過していない場合はＳ１０１に戻って再度カバーセンサ４１によりカバー１３の開閉状態の検出を行う一方、所定時間以上経過している場合（Ｓ４０２でＹＥＳの場合）は読み取りを実行しない。
【０１０３】
例えばユーザはカードＣの読み取りを実行させたい場合に、カバー１３を閉め忘れて開状態のままで読取指示を入力してしまうことも考えられる。その場合に、ユーザは実行を要求した後に直ぐに開状態であることに気づいてカバー１３を閉じることも考えられる。
画像読取装置１によると、カバー１３を閉め忘れて開状態のままで読取指示を入力してしまっても、普通紙が無い場合は直ちにＳ４０３において普通紙が導入されていないことを示すメッセージを表示させるのではなく、所定時間経過してから当該メッセージを表示させるので、ユーザは開状態のまま読取指示を入力してしまっても所定時間が経過する前にカバー１３を閉状態にすることにより、カードＣの読み取りを実行させることができる。
【０１０４】
更に、画像読取装置１によると、画像処理部はシートを読み取って画像データを生成する画像読取部３０である。画像読取装置１によると、シートを読み取って画像データを生成する画像読取を実行する場合に、シートの種類に応じた画像読取条件を、ユーザの負担を抑制しつつ設定することができる。
【０１０５】
＜実施形態２＞
次に、実施形態２を図１１ないし図１３によって説明する。
実施形態２では、普通紙Ｍを読み取らせる場合もカードＣを読み取らせる場合もユーザは読取指示を入力する前に操作部１５を操作して読取条件を設定する。この場合に、実施形態２に係る制御部５０は、ユーザからシートの読み取りが指示される前に普通紙Ｍの読み取りであるかカードＣの読み取りであるかを実施形態１と同様に判断する。そして、制御部５０は、カードＣを読み取ると判断した場合はカード読取条件を読取条件の初期値として操作部１５に表示する。一方、普通紙Ｍを読み取ると判断した場合は、制御部５０は普通紙読取条件を読取条件の初期値として操作部１５に表示する。
ここで普通紙読取条件は、適宜に設定されたデフォルトの読取条件のことをいう。普通紙読取条件は必ずしも普通紙Ｍの読み取りに適した読取条件であるとは限らない。
【０１０６】
そして、制御部５０は、ユーザによってシートの読取指示が入力されると、ユーザによって設定されている読取条件で画像読取部３０を制御してシートを読み取らせる。
【０１０７】
（１）読取条件設定処理
図１１を参照して、実施形態２に係る読取条件設定処理について説明する。本処理は画像読取装置１に電源が投入されている間、一定時間間隔で繰り返し実行される。図１１に示す流れは図７に示す流れと実質的に同一であるので同一の符号を付して説明を省略する。
【０１０８】
（１−１）カバーが閉状態であるときの処理
次に、図１２を参照して、実施形態２に係るカバーが閉状態であるときの処理について説明する。
図１２においてＳ２０１〜Ｓ２０４、及び、Ｓ２１２は図８に示す処理と実質的に同一であるので同一の符号を付して説明を省略する。
【０１０９】
Ｓ５０１では、制御部５０は操作部１５を制御してカード読取条件を表示させ、ユーザから読取条件の変更を受け付ける。
ユーザは操作部１５を操作することにより、表示されたカード読取条件を変更することができる。その後にユーザが操作部１５を操作して読み取りを指示すると、制御部５０は変更されたカード読取条件でカードＣを読み取る読取処理を実行する。カードＣの読取処理はＳ２０６〜Ｓ２１１と同じ処理であるので説明は省略する。
【０１１０】
（１−２）カバーが開状態であるときの処理
次に、図１３を参照して、実施形態２に係るカバーが開状態であるときの処理について説明する。
図１３においてＳ４０１及びＳ４０３は図１０に示す処理と実質的に同一であるので同一の符号を付して説明を省略する。
【０１１１】
Ｓ６０１では、制御部５０は操作部１５を制御して前述した普通紙読取条件を表示させる。
ユーザは操作部１５を操作することにより、表示された普通紙読取条件を変更することができる。その後にユーザが操作部１５を操作して読み取りを指示すると、制御部５０は変更された普通紙読取条件で普通紙Ｍを読み取る読取処理を実行する。普通紙Ｍの読取処理はＳ４０５〜Ｓ４１１と同じ処理であるので説明は省略する。
【０１１２】
（３）実施形態の効果
以上説明した実施形態２に係る画像読取装置１によると、カバー１３が閉状態である場合はカード読取条件が表示部に表示されるので、ユーザはカード読取条件を設定して画像読取を実行させたい場合に、自身でカード読取条件を設定しなくてよい。よって画像読取装置１によると、シートの種類に応じた画像読取条件を、ユーザの負担を抑制しつつ設定することができる。
【０１１３】
＜他の実施形態＞
上記記述及び図面によって説明した実施形態に限定されるものではなく、例えば次のような実施形態も技術的範囲に含まれる。
【０１１４】
（１）上記実施形態１ではカード読取条件の一例を示したが、カード読取条件は実施形態１に示すものに限定されるものではなく、適宜に設定できる。例えばカード読取条件は以下に示すものであってもよい。
読取サイズ＝カードサイズ
この場合、読取サイズ以外の読取設定項目の設定値は自動で設定されないので、ユーザはＳ２０５においてそれらの読取設定項目の設定値を設定することになる。この場合であっても、少なくとも読取サイズについては自動で設定されるので、ユーザの負担を軽減できる。
また、実施形態１に示すカード読取条件を用いる場合であっても、制御部５０はＳ２０５においてカード読取条件を操作部１５に表示させ、ユーザから設定値の変更を受け付けてもよい。
【０１１５】
（２）上記実施形態１では、ユーザが操作部１５を操作してシートの読み取りを指示すると所定時間が経過するのを待つことなくＳ１０１においてカバーの開閉状態の検出を行う場合を例に説明した。これに対し、上記実施形態１において、ユーザが操作部１５を操作して読取指示を入力すると、所定時間が経過するのを待ってからＳ１０１を実行してもよい。所定時間は例えば３〜５秒程度である。
【０１１６】
例えばユーザはカードＣの読み取りを実行させたい場合に、カバー１３を閉め忘れて開状態のままで読取指示を入力してしまうことも考えられる。その場合に、ユーザは読取指示を入力した後に直ぐに開状態であることに気づいてカバー１３を閉じることも考えられる。
上記の構成によると、画像読取装置１は読取指示が入力されてから所定時間が経過した後にカバーセンサ４１によりカバー１３の開閉状態の検出を行うので、ユーザは開状態のまま要求を行ってしまってもカバーセンサ４１による検出が行われる前にカバー１３を閉状態にすることにより、カードＣの読み取りを行わせることができる。
【０１１７】
（３）上記実施形態１ではカバー１３が閉状態である場合に、Ｓ２０５において読取条件としてカード読取条件を設定するとき、ＲＯＭ５０ｂに記憶されているカード読取条件を設定する場合を例に説明した。これに対し、制御部５０は、Ｓ２０５において、画像読取装置１と通信可能に接続されているＰＣなどの外部の装置にカバー１３の閉状態を示す情報を送信し、外部の装置からその情報に対する応答としてカード読取条件を受信し、受信したカード読取条件を設定してもよい。このようにすると、外部の装置でカード読取条件を設定できる。外部の装置にカバー１３の閉状態を示す情報を送信する処理は送信処理の一例である。また、外部の装置からカード読取条件を受信する処理は受信処理の一例である。
【０１１８】
（４）上記実施形態１では、カバー１３が開状態であり、且つ、普通紙Ｍが有る場合は、Ｓ４０４においてユーザによって設定された読取条件を普通紙読取条件として設定する場合を例に説明した。これに対し、カバー１３が開状態であり、且つ、普通紙Ｍが有る場合は、予め記憶されている普通紙読取条件を自動で設定して普通紙Ｍの読み取りを実行してもよい。このようにすると、カバー１３が開状態である場合にもユーザの負担を抑制できる。カバー１３が開状態である場合に普通紙読取条件を自動で設定する処理は第２の設定処理の一例である。
【０１１９】
（５）上記実施形態では、カバー１３は開状態において第１の導入部１６を開放し、且つ、第２の導入部１２も開放する構成である場合を例に説明した。これに対し、カバー１３は、開状態において、第１の導入部１６を覆い、且つ、第２の導入部１２を開放する構成であり、制御部５０は、カードセンサ４２によりカードＣの有無の検出を行い、カードＣが有る場合に、第１の設定処理を実行してもよい。
【０１２０】
カバー１３が開状態において第１の導入部１６を覆い、且つ、第２の導入部１２を開放する構成である場合は、カードセンサ４２を用いても、ユーザの手間を減らしつつ、シートの種類に応じた画像処理条件を自動で設定することができる。なぜなら、カードセンサ４２によりカードＣを検出するということは、２つの導入部のうち第１の導入部１６のみが開状態であり、カードＣを利用した画像処理が実行される可能性が高いためである。
【０１２１】
（６）上記実施形態ではカバー１３が開状態である場合はカードセンサ４２によるカードＣの有無の検出を行わない場合を例に説明した（例えばパターン１、パターン３）。これに対し、カバー１３が開状態である場合もカードＣの有無の検出を行うようにしてもよい。
そして、その検出の結果、カードＣが有る場合は、制御部５０は「カバーを閉じて下さい」といったメッセージを操作部１５に表示させてもよい。あるいは、カードＣが有り、且つ、普通紙Ｍが有る場合は、制御部５０は「普通紙を取り除いてからカバーを閉じて下さい」といったメッセージを操作部１５に表示させてもよい。
【０１２２】
（７）上記実施形態１では図８に示すカバーが閉状態であるときの処理においてＳ２０１を実行しているが、Ｓ２０１は省略してもよい。
【０１２３】
（８）上記実施形態１では図１０に示すカバーが開状態であるときの処理においてＳ４０２を実行しているが、Ｓ４０２は省略してもよい。
【０１２４】
（９）上記実施形態２は図１２に示すカバーが閉状態であるときの処理においてＳ２０１やＳ２０２などの判断の後にＳ２０３、Ｓ２４０、Ｓ５０１を実行しているが、カバーが閉状態である場合はこれらの判断を行わずにＳ２０３、Ｓ２４０、Ｓ５０１を実行してもよい。
【０１２５】
（１０）上記実施形態では画像処理装置として画像読取装置を例に説明した。しかしながら、画像処理装置は画像読取装置に限定されるものではない。例えば画像処理装置は画像形成装置（所謂プリンタ）であってもよい。この場合、画像形成装置が備える画像形成部が画像処理部の一例である。また、画像処理装置はスキャナ機能、ファクシミリ機能、プリント機能、コピー機能等を備える所謂複合機であってもよい。
【０１２６】
（１１）上記実施形態では制御部５０が一つのＣＰＵ５０ａを備える場合を例に説明した。これに対し、制御部５０は複数のＣＰＵ５０ａによって構成されてもよいし、ＡＳＩＣによって構成されてもよいし、ＣＰＵ５０ａとＡＳＩＣとの組み合わせによって構成されてもよい。
【符号の説明】
【０１２７】
１・・・画像読取装置、１１・・・筐体、１２ａ・・・第２の導入口、１２・・・導入部、１３・・・カバー、１５・・・操作部、１６ａ・・・第１の導入口、１６・・・第１の導入部、２０・・・搬送部、３０・・・画像読取部、４１・・・カバーセンサ、４１・・・再度カバーセンサ、４２・・・カードセンサ、４３・・・普通紙センサ、５０・・・制御部、Ｔ・・・搬送経路、Ｔ１・・・搬送経路、Ｔ２・・・搬送経路、Ｔ３・・・共通搬送経路
【図１】
2014110482.tif 000003
【図２】
2014110482.tif 000004
【図３】
2014110482.tif 000005
【図４】
2014110482.tif 000006
【図５】
2014110482.tif 000007
【図６】
2014110482.tif 000008
【図７】
2014110482.tif 000009
【図８】
2014110482.tif 000010
【図９】
2014110482.tif 000011
【図１０】
2014110482.tif 000012
【図１１】
2014110482.tif 000013
【図１２】
2014110482.tif 000014
【図１３】
2014110482.tif 000015